(57)【要約】      （修正有）【課題】温室内部に簡易に設置することができ、温室内の農作物搬出入作業を容易に行える農作物運搬用ゴンドラを提供する。【解決手段】温室本体の間口方向に設置固定された陸梁パイプ４と、陸梁パイプを利用して金具により、温室本体奥行き方向に設置されたガイドレールＲと、ガイドレール部を回転走行する車輪を有し、高さ方向の可変可能な吊りパイプ７を備えた農作物運搬用ゴンドラにより構成される。【選択図】図１
0003104687.tif 000002
【実用新案登録請求の範囲】
【請求項１】
ハウス内部に棟方向のガイドレールを設け、このガイドレールにガイドされて回転移動する車輪にゴンドラを吊り下げる構造となっていることを特徴とするゴンドラ式搬送装置。
【請求項２】
前記ゴンドラを吊り下げる吊り下げ手段に、高さ調節手段を設けてあることを特徴とする請求項１に記載のゴンドラ式搬送装置。
【請求項３】
前記ゴンドラの一部に、上下方向にスライド可能なスライドバーを有しており、前記スライドバーを下降させて、その下端を地中に差し込み可能となっていることを特徴とする請求項１または請求項２に記載のゴンドラ式搬送装置。
【考案の詳細な説明】
【技術分野】
【０００１】本考案は、ハウスすなわち温室の内部の農作物や肥料などの搬出入を容易に行えるようにした、ハウス内農作物などの運搬用ゴンドラに関するものである。
【背景技術】
【０００２】従来、温室本体内での農作物の搬出入は、作物により異なるが、通路が設けられている場合には、台車等を使用して搬出入を行なっている。しかしながら、通路の凹凸や軟弱地盤のため、作業が困難で、搬出入に時間もかかった。また、通路が設けられていない場合では、作物の近くまでかご等を持込んで、収穫した作物を入れて人力により搬出入するため、労働条件が非常に悪くなるという問題があった。【０００３】これに対し、特開平９−２５２６６０では、温室の防除育成を的確容易に行える上に、温室への物品搬出入時の重労働を軽減できる温室用防除育成装置を提供することを目的として、温室本体の前後端間に張設される循環移動自在な駆動ワイヤに防除育成手段を設けて温室内の植物に薬剤や水を散布するようにした温室用防除育成装置において、前記防除育成手段は温室本体の上部に所要の間隔をおいて張架される陸梁状の鉄筋に支持されて前後動する該温室本体の略全幅にわたるアームを有するものとしてこれに搬送ゴンドラを係脱自在に懸吊する構成が提案されている。
【特許文献１】特開平９−２５２６６０
【考案の開示】
【考案が解決しようとする課題】
【０００４】このように搬送ゴンドラを用いると、温室への物品搬出入時の重労働が軽減されるという点で優れている。しかしながら、防除育成手段を設備してある温室にしか適用できないという致命的な欠陥があり、しかも搬送ゴンドラの移動ルートが既設の防除育成手段の配置に制限される。また、ワイヤーを張設しておく必要があるが、ワイヤーが弛まないように張設するには、大きな張力に耐えられるような堅牢な温室骨組にする必要があり、コスト高となる。【０００５】本考案の技術的課題は、このような問題に着目し、コスト高とならないように簡易に設置でき、操作も簡便で、しかもあらゆるハウスに適用できる汎用性の高い搬送手段を実現することにある。
【課題を解決するための手段】
【０００６】
【０００７】本考案の技術的課題は次のような手段によって解決される。請求項１は、温室内部に棟方向のガイドレールを設け、このガイドレールにガイドされて回転移動する車輪にゴンドラを吊り下げる構造となっていることを特徴とするゴンドラ式搬送装置である。このように、温室内部に棟方向のガイドレールを設け、このガイドレールにガイドされて回転移動する車輪にゴンドラを吊り下げる構造になっているため、ガイドレールに沿って、その一端と他端との間でゴンドラを移動させることによって、収穫した農作物などを運搬できる。また、ワイヤーを張設する必要が無いので、ワイヤー張設に耐えられるようにハウス骨組を補強する必要がなく、安価でかつ簡易な構造となる。しかも、ガイドレールは、棟方向の強度を高める上でも有効である。【０００８】請求項２は、前記ゴンドラを吊り下げる吊りアームに、高さ調節手段を設けてあることを特徴とする請求項１に記載のゴンドラ式搬送装置である。このように、前記ゴンドラを吊り下げる吊りアームに、高さ調節手段を設けてあるため、温室内の作物その他の状況に応じて、ゴンドラの移動に支障が生じない高さに設定できる。あるいは、ゴンドラへの作物その他の積み降ろしに便利な高さに調節し設定できる。【０００９】請求項３は、前記ゴンドラの一部に、上下方向にスライド可能なスライドバーを有しており、前記スライドバーを下降させて、その下端を地中に差し込み可能となっていることを特徴とする請求項１または請求項２に記載のゴンドラ式搬送装置である。このように、前記ゴンドラの一部に、上下方向にスライド可能なスライドバーを有しており、前記スライドバーを下降させて、その下端を地中に差し込み可能となっているため、ゴンドラの移動時には前記のスライドバーを上昇状態にしておき、ゴンドラを停止させておきたい場合は、スライドバーを下降させて、下端を地中に突き刺しておくと、ゴンドラが移動不可能となるため、停止状態に維持できる。
【考案の効果】
【００１０】請求項１のように、温室内部に棟方向のガイドレールを設け、このガイドレールにガイドされて回転移動する車輪にゴンドラを吊り下げる構造になっているため、ガイドレールに沿って、その一端と他端との間でゴンドラを移動させることによって、収穫した農作物などを運搬できる。また、ワイヤーを張設する必要が無いので、ワイヤー張設に耐えられるようにハウス骨組を補強する必要がなく、安価でかつ簡易な構造となる。しかも、ガイドレールは、棟方向の強度を高める上でも有効である。【００１１】請求項２のように、前記ゴンドラを吊り下げる吊りアームに、高さ調節手段を設けてあるため、温室内の作物その他の状況に応じて、ゴンドラの移動に支障が生じない高さに設定できる。あるいは、ゴンドラへの作物その他の積み降ろしに便利な高さに調節し設定できる。【００１２】請求項３のように、前記ゴンドラの一部に、上下方向にスライド可能なスライドバーを有しており、前記スライドバーを下降させて、その下端を地中に差し込み可能となっているため、ゴンドラの移動時には前記のスライドバーを上昇状態にしておき、ゴンドラを停止させておきたい場合は、スライドバーを下降させて、下端を地中に突き刺しておくと、ゴンドラが移動不可能となるため、停止状態に維持できる。
【考案を実施するための最良の形態】
【００１３】次に本考案によるゴンドラ式搬送装置が実際上どのように具体化されるか実施形態を説明する。温室や強風避けなどを目的としたハウスには、全体骨組がパイプで構成された簡易型と鉄骨で構成された耐久型とが有るが、本考案はいずれにも適用できる。図は簡易型のパイプハウスの例であり、図１のように、左右の側面支柱１、２の上端にアーチ状の屋根パイプ３を連結したパイプ骨組が、紙面と垂直方向に等間隔に多数配設されている。そして、各パイプ骨組を連結するための棟パイプＰ１、側面パイプＰ２、肩部パイプＰ３、中部パイプＰ４、Ｐ５が水平方向に配設され、互いに連結固定されている。左右の肩部間は陸梁パイプ４で連結され、各陸梁パイプ４間は、必要に応じて水平方向のセンターパイプＰ６で連結される。そして、各陸梁パイプ４のセンター部と各屋根パイプ３の棟部との間は鉛直パイプ５で連結されている。【００１４】本考案では、各陸梁パイプ４を利用して、ガイドレールＲを水平方向に配置固定し、ゴンドラＧを吊り下げ支持して走行させる。図２は、図１のＡ−Ａ位置の縦断面図であり、左側の妻面と右側の妻面との間に渡ってガイドレールＲを渡してあり、内蔵支持された車輪６に吊りパイプ７で吊られたゴンドラＧが左右方向に走行する。なお、２６は妻面の支柱である。【００１５】図３、図４は、陸梁パイプ４に対するガイドレールＲの取付け構造を示す詳細図であり、図３はガイドレールＲの取付け位置の拡大図、図４は図３のガイドレール取付け部の右側面図である。８、９はΩ字状のリング金具であり、右側のリング金具８は、陸梁パイプ４に巻き付けた状態で、上向きの両脚部１０・１１間に鉛直パイプ５の下端を挟み、ボルトナットで１２で締めつけ固定してある。これに対し、左側のリング金具９は、陸梁パイプ４に巻き付けた状態で、下向きの両脚部１０・１１間にＬ金具１３の鉛直辺を挟み、ボルトナットで１２で締めつけ固定してある。そして、Ｌ金具１３の水平辺を、ガイドレールＲの天井部１４の上面に溶接などの連結手段で固定してある。【００１６】ガイドレールＲは、図示例ではＣ型鋼の開口部を下向きにして寝かせた状態であり、左右の側壁の内部に車輪６、６を内蔵して、左右の底板１５・１５の上で回転し走行する。そして、左右の車輪６・６間を連結している車軸１６を挿通してある軸受け部１７に、前記の吊りパイプ７の上端を連結固定してある。図４からも明らかなように、左右の車輪６、６は、それぞれダブル構成になっていて、計４個の車輪で構成されているので、安定よく走行できる。なお、図示のガイドレールＲは、断面Ｃ字状であるが、Ｈ字状の鋼材を寝かせて用い、左右の外側から車輪６・６を挿入した構成も可能である。【００１７】図５はゴンドラＧの詳細を示す斜視図であり、ほぼかご状のゴンドラＧの上端中央の前後両端に前記の吊りパイプ７・７を有している。したがって、前後２本の吊りパイプ７・７の上端に前記の走行車輪を有しており、前後４個ずつの車輪で安定走行する。吊りパイプ７・７の下側の部分には、上下方向に等間隔の横孔１８…を開けてある。一方、ゴンドラの前後両面に上下方向に固定してある固定パイプ１９には、１個または複数の横孔を開けてある。したがって、固定パイプ１���中に吊りパイプ７・７の下部を挿入した状態で上下させて、固定パイプ１９の横孔と所望の高さの横孔１８にピンやボルト２０を挿入することによって、ガイドレールＲに対するゴンドラＧの高さを自由に調節設定できる。したがって、ゴンドラの高さを、農作物の種類や作業内容などに適した高さに設定できる。【００１８】図６のように、ゴンドラＧの４隅の支柱２１中の１本の外側面には、上下２本のガイド筒２２・２２を間隔をおいて鉛直方向に溶接固定し、１本のスライドバー２３を挿通してある。前記支柱２１の上端面には、凹状部２４を形成するための２本の凸片２５・２５を固定してある。一方、スライドバー２３の上端２３ａは、凹状部２４中に嵌入できるように横に折り曲げて、Ｌ字状に形成してある。したがって、Ｌ字状の折り曲げ上端２３ａでスライドバー２３を持ち上げて、図６（１）のように、Ｌ字状上端２３ａを凹部２４中に嵌入させておくと、スライドバー２３の下端２３ｂが上昇状態となるので、下側の農作物などに引っ掛かったりすることもなく、円滑にゴンドラＧを移動できる。【００１９】この状態でＬ字状上端２３ａを持ち上げて、凹部２４から離脱させてから、左向きまたは右向きに９０度回転させ、次いで手を放すと、スライドバー２３は自重でストロークＨだけ下降し、図６（２）の状態となる。すなわち、スライドバー２３の下端２３ｂが下側に突出する状態となるので、下側の地面Ｅ中に突き刺さる。下側の地面Ｅが硬くて、刺さり方が少ない場合は、Ｌ字状上端２３ａを押し下げると、容易に地中に突き刺さる。したがって、ゴンドラの停止位置でこの操作をすると、ゴンドラの移動を阻止して、確実に停止できる。移動再開する場合は、Ｌ字状上端２３ａを持ち上げて約９０度回転させ、凹部２４中に嵌入させるだけでよい。【００２０】図示のゴンドラは、手動で押したり、引いたりして移動させるが、ゴンドラの前方と後方にワイヤーを連結して、ワイヤーを前方や後方からモータで巻き取る構成にすれば、電動も可能である。モータを車輪６の付近に設けて、直接車輪６を駆動する構成にすると共に、モータをリモコン操作することも可能である。図示のガイドレールＲは、棟部の真下に配設してあるが、陸梁パイプ４に沿ってリング金具９を移動させれば、任意の位置に設置することもできる。また、ガイドレールＲは、陸梁パイプ４ではなく、センターパイプＰ６のような水平方向の既設のパイプを利用して取付けることもできる。あるいは、鎖線Ｐ７のように、陸梁パイプ４の下側の任意の位置に水平方向のパイプを固定し、この水平パイプＰ７の下側にガイドレールＲを取付け固定する。このように、水平パイプＰ６、Ｐ７に沿って下側にガイドレールＲを取付ける場合は、強度がアップするので、ゴンドラの荷重を大きくできる。
【産業上の利用可能性】
【００２１】以上のように本考案によると、Ｃ型鋼やＨ型鋼などの鋼材をハウス内に水平に配設してガイドレールにするだけで、簡易でかつ安価に、農作物などの運搬用のゴンドラを実現できる。しかも、簡易なパイプハウスに限らず、鉄骨構造のハウスにも適用でき、汎用性の高い運搬手段となる。さらに、ゴンドラの高さを任意に設定したり、任意の位置でスライドバーを地中に突き刺して、確実に停止できるなど、操作も簡便確実である。
【図面の簡単な説明】
【００２２】
【図１】アーチ状のハウスにおける間口方向の縦断面図である。
【図２】図１のＡ−Ａ位置の縦断面図である。
【図３】図１のガイドレール取付け部の拡大図である。
【図４】図３のガイドレール取付け部の右側面図（図１のＢ−Ｂ方向の縦断面図）である。
【図５】ゴンドラの詳細を示す斜視図である。
【図６】停止用のスライドバー取付け構造を例示する斜視図であり、（１）はスライドバーの上昇状態、（２）はスライドバーの下降状態である。
【符号の説明】
【００２３】１・２  側面支柱
３  アーチ状屋根パイプ
Ｐ１〜Ｐ７  水平パイプ
４  陸梁パイプ
５  鉛直パイプ
Ｒ  ガイドレール
Ｇ  ゴンドラ
６  車輪
７  吊りパイプ
８・９  リング金具
１３  Ｌ金具
１５・１５  底板
１８…  横孔
１９  固定パイプ
２０  ピンまたはボルト
２１  支柱
２２  ガイド筒
２３  スライドバー
２４  凹状部
２３ａ  Ｌ字状上端
【図１】
0003104687.tif 000003
【図２】
0003104687.tif 000004
【図３】
0003104687.tif 000005
【図４】
0003104687.tif 000006
【図５】
0003104687.tif 000007
【図６】
0003104687.tif 000008